(57)【要約】【課題】構成が簡潔で使い勝手が良好な、掃除機本体を分離することによりハンディ型掃除機としても使用可能である電動回転ブラシ付き床ノズルを有する縦型電気掃除機を提供する。【解決手段】縦型電気掃除機において、集塵室と第１の塵埃吸込口と電動送風機とを有する掃除機本体と、掃除機本体を着脱可能に収容する収容部と第２の塵埃吸込口が設けられた床ノズルと第２の塵埃吸込口に設けられた電動回転ブラシとブラシ駆動用電動機とを有し掃除機本体が収容部に収容された状態で第２の塵埃吸込口と集塵室とが連通されるように構成された支持体と、掃除機本体に設けられ電動送風機に電力を供給する電力供給手段と、電力供給手段により発生した電圧を掃除機本体側から支持体側へと伝導する電圧伝導手段と、を備え、ブラシ駆動用電動機は電圧伝導手段を介して伝導された電圧によって駆動される構成とする。【選択図】図１５
2012228360.tif 000002
【特許請求の範囲】
【請求項１】
集塵室と、前記集塵室と連通された第１の塵埃吸込口と、前記第１の塵埃吸込口から前記集塵室への気流を発生させる電動送風機と、を有する掃除機本体と、
前記掃除機本体を着脱可能に収容する収容部と、第２の塵埃吸込口が設けられた床ノズルと、前記床ノズル内の前記第２の塵埃吸込口に設けられた電動回転ブラシと、前記電動回転ブラシの回転を駆動するブラシ駆動用電動機と、を有し、前記掃除機本体が前記収容部に収容された状態で前記第２の塵埃吸込口と前記集塵室とが前記第１の塵埃吸込口を経由して連通されるように構成された支持体と、
前記掃除機本体に設けられ、前記電動送風機に電力を供給する電力供給手段と、
前記電力供給手段により発生した電圧を前記掃除機本体側から前記支持体側へと伝導する電圧伝導手段と、を備え、
前記ブラシ駆動用電動機は、前記電圧伝導手段を介して伝導された電圧によって駆動されることを特徴とする縦型電気掃除機。
【請求項２】
前記電圧伝導手段は、
前記掃除機本体に設けられ、前記掃除機本体が前記収容部に収容された状態で前記支持体に対向する側の面に配置された掃除機本体側電圧伝導手段と、
前記支持体に設けられ、前記掃除機本体が前記収容部に収容された状態で前記掃除機本体側電圧伝導手段と係合する支持体側電圧伝導手段と、を備えたことを特徴とする請求項１に記載の縦型電気掃除機。
【請求項３】
前記掃除機本体側電圧伝導手段は、前記電力供給手段と電気的に接続された給電端子を有し、
前記支持体側電圧伝導手段は、前記ブラシ駆動用電動機と電気的に接続された受電端子を有し、
前記給電端子と受電端子は、前記掃除機本体が前記収容部に収容されて前記掃除機本体側電圧伝導手段と前記支持体側電圧伝導手段とが係合した状態で、接触するように構成されたことを特徴とする請求項２に記載の縦型電気掃除機。
【請求項４】
前記電力供給手段から前記給電端子への給電をオン／オフするスイッチ手段を備え、
前記スイッチ手段は、前記掃除機本体が前記収容部に収容されて前記掃除機本体側電圧伝導手段と前記支持体側電圧伝導手段とが係合した状態で、前記電力供給手段から前記給電端子への給電をオンにし、前記掃除機本体が前記収容部に収容されておらず、前記掃除機本体側電圧伝導手段と前記支持体側電圧伝導手段とが係合していない状態で、前記電力供給手段から前記給電端子への給電をオフにすることを特徴とする請求項３に記載の縦型電気掃除機。
【請求項５】
前記スイッチ手段は、前記掃除機本体側電圧伝導手段に設けられ、
前記支持体側電圧伝導手段は、前記掃除機本体が前記収容部に収容されて前記掃除機本体側電圧伝導手段と前記支持体側電圧伝導手段とが係合した状態で、前記スイッチ手段をオンにするスイッチ作動手段を備えたことを特徴とする請求項４に記載の縦型電気掃除機。
【請求項６】
前記スイッチ手段は、マイクロスイッチであり、
前記スイッチ作動手段は、前記掃除機本体が前記収容部に収容されて前記掃除機本体側電圧伝導手段と前記支持体側電圧伝導手段とが係合した状態で、前記マイクロスイッチを押圧する突起体であることを特徴とする請求項５に記載の縦型電気掃除機。
【請求項７】
前記スイッチ手段は、リードスイッチであり、
前記スイッチ作動手段は、前記掃除機本体が前記収容部に収容されて前記掃除機本体側電圧伝導手段と前記支持体側電圧伝導手段とが係合した状態で、前記リードスイッチに外部磁界を与えるマグネットであることを特徴とする請求項５に記載の縦型電気掃除機。
【請求項８】
前記掃除機本体側電圧伝導手段は、前記掃除機本体の反前記第１の塵埃吸込口寄りの位置に配置されたことを特徴とする請求項４から請求項７のいずれかに記載の縦型電気掃除機。
【発明の詳細な説明】
【技術分野】
【０００１】
この発明は、縦型電気掃除機に関するものである。
【背景技術】
【０００２】
従来における縦型電気掃除機においては、電動回転ブラシ付き床ノズルを有する縦型電気掃除機であって、掃除機本体を分離することによりハンディ型（手持ち型）掃除機としても使用可能であるものとして、ハンディ型掃除機となる掃除機本体と、この掃除機本体が収納され、電動回転ブラシ付き床ノズルが設けられた支持体と、を有するものが知られている（例えば、特許文献１参照）。
【０００３】
この特許文献１に記載されたものは、掃除機本体には、その一端部に形成された吸込口から第１の集塵部への含塵空気の吸引を駆動する電動送風機、及び、この電動送風機へと電力を供給する第１の充電池が内蔵されている。また、掃除機本体が収容される支持体には、横長の吸込口が設けられた平面視略Ｔ字状のノズルヘッド（床ノズル）が取り付けられており、この床ノズルの吸込口内に回転ブラシが設けられている。そして、床ノズルにはこの回転ブラシを回転させるための電動機及びこの電動機へと電力を供給する第２の充電池が内蔵されている。
【先行技術文献】
【特許文献】
【０００４】
【特許文献１】特開２００８−１７８６１５号公報
【発明の概要】
【発明が解決しようとする課題】
【０００５】
このように、特許文献１に示された従来における縦型電気掃除機は、掃除機本体に内蔵された電気送風機と、支持体に内蔵された回転ブラシ用の電動機とのそれぞれに対して、電力供給源が別個に用意されている。そして、このため、掃除機本体を支持体内に収容した状態で縦型電気掃除機として使用する場合には、これら２つの電力供給源からの電力供給を操作しなければならず、使い勝手が悪く利便性が低いという課題がある。また、掃除機本体と支持体の２箇所に電力供給源が別々に存在しているために、使用部品数の増加や装置の全体構成の複雑化を招き、製造費用がかさみやすいという課題もある。
【０００６】
この発明は、このような課題を解決するためになされたもので、掃除機本体を分離することによりハンディ型掃除機としても使用可能である電動回転ブラシ付き床ノズルを有する縦型電気掃除機であって、構成が簡潔で使い勝手が良好であり利便性を向上することができる縦型電気掃除機を得るものである。
【課題を解決するための手段】
【０００７】
この発明に係る縦型電気掃除機においては、集塵室と前記集塵室と連通された第１の塵埃吸込口と前記第１の塵埃吸込口から前記集塵室への気流を発生させる電動送風機とを有する掃除機本体と、前記掃除機本体を着脱可能に収容する収容部と第２の塵埃吸込口が設けられた床ノズルと前記床ノズル内の前記第２の塵埃吸込口に設けられた電動回転ブラシと前記電動回転ブラシの回転を駆動するブラシ駆動用電動機とを有し前記掃除機本体が前記収容部に収容された状態で前記第２の塵埃吸込口と前記集塵室とが前記第１の塵埃吸込口を経由して連通されるように構成された支持体と、前記掃除機本体に設けられ、前記電動送風機に電力を供給する電力供給手段と、前記電力供給手段により発生した電圧を前記掃除機本体側から前記支持体側へと伝導する電圧伝導手段と、を備え、前記ブラシ駆動用電動機は、前記電圧伝導手段を介して伝導された電圧によって駆動される構成とする。
【発明の効果】
【０００８】
この発明に係る縦型電気掃除機においては、掃除機本体を分離することによりハンディ型掃除機としても使用可能である電動回転ブラシ付き床ノズルを有する縦型電気掃除機であって、構成が簡潔で使い勝手が良好であり利便性を向上することができるという効果を奏する。
【図面の簡単な説明】
【０００９】
【図１】この発明の実施の形態１に係る掃除機本体の側面図である。
【図２】この発明の実施の形態１に係る支持体に掃除機本体を収容した状態の縦型電気掃除機の側面図である。
【図３】この発明の実施の形態１に係る支持体に掃除機本体を収容した状態の縦型電気掃除機の全体構成を示す斜視図である。
【図４】この発明の実施の形態１に係る支持体に掃除機本体を収容した状態の縦型電気掃除機の正面図である。
【図５】この発明の実施の形態１に係る支持体に掃除機本体を収容した状態の縦型電気掃除機の背面図である。
【図６】この発明の実施の形態１に係る支持体に掃除機本体を収容した状態の縦型電気掃除機の下面図である。
【図７】この発明の実施の形態１に係る支持体に掃除機本体を収容した状態の縦型電気掃除機の上面図である。
【図８】この発明の実施の形態１に係る掃除機本体の電圧伝導手段配置部を示す斜視図である。
【図９】この発明の実施の形態１に係る掃除機本体の電圧伝導手段配置部の拡大斜視図である。
【図１０】この発明の実施の形態１に係る支持体の電圧伝導手段配置部を示す斜視図である。
【図１１】この発明の実施の形態１に係る支持体の電圧伝導手段配置部の拡大斜視図である。
【図１２】この発明の実施の形態１に係る掃除機本体の電圧伝導手段配置部の模式図である。
【図１３】この発明の実施の形態１に係る支持体に掃除機本体を収容した状態の電圧伝導手段配置部の様子を説明する図１２のＡ−Ａ線に沿った断面図に相当する図である。
【図１４】この発明の実施の形態１に係る掃除機本体の配線図である。
【図１５】この発明の実施の形態１に係る支持体に掃除機本体を収容した状態の縦型電気掃除機の配線図である。
【図１６】この発明の実施の形態１に係る支持体に掃除機本体を収容する動作を説明する図である。
【図１７】この発明の実施の形態２に係る掃除機本体の電圧伝導手段配置部の拡大斜視図である。
【図１８】この発明の実施の形態２に係る支持体の電圧伝導手段配置部の拡大斜視図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図１６は、この発明の実施の形態１に係るもので、図１は掃除機本体の側面図、図２は支持体に掃除機本体を収容した状態の縦型電気掃除機の側面図、図３は支持体に掃除機本体を収容した状態の縦型電気掃除機の全体構成を示す斜視図、図４は支持体に掃除機本体を収容した状態の縦型電気掃除機の正面図、図５は支持体に掃除機本体を収容した状態の縦型電気掃除機の背面図、図６は支持体に掃除機本体を収容した状態の縦型電気掃除機の下面図、図７は支持体に掃除機本体を収容した状態の縦型電気掃除機の上面図、図８は掃除機本体の電圧伝導手段配置部を示す斜視図、図９は掃除機本体の電圧伝導手段配置部の拡大斜視図、図１０は支持体の電圧伝導手段配置部を示す斜視図、図１１は支持体の電圧伝導手段配置部の拡大斜視図、図１２は掃除機本体の電圧伝導手段配置部の模式図、図１３は支持体に掃除機本体を収容した状態の電圧伝導手段配置部の様子を説明する図１２のＡ−Ａ線に沿った断面図に相当する図、図１４は掃除機本体の配線図、図１５は支持体に掃除機本体を収容した状態の縦型電気掃除機の配線図、図１６は支持体に掃除機本体を収容する動作を説明する図である。
【００１２】
図１において、１は、ハンディ型（手持ち型）掃除機としても使用可能な掃除機本体である。この掃除機本体１の一端部には、ごみや塵埃を含んだ空気（含塵空気）を吸い込む第１の塵埃吸込口２が掃除機本体１から突出して形成されている。また、掃除機本体１には、第１の塵埃吸込口２から吸い込まれた含塵空気中の塵埃を捕集する集塵室３が着脱自在に取り付けられている。そして、第１の塵埃吸込口２から集塵室３へとは第１の通気路４により連通されている。
【００１３】
掃除機本体１による含塵空気の吸込動作は、掃除機本体１に内蔵された電動送風機５により駆動される。そして、この電動送風機５の動作に必要な電力は、掃除機本体１の他端部に電源コードを介して接続された電源プラグによって構成された電力供給源６により供給される。より厳密に言えば、電源プラグが商用電源等のコンセントに接続されることにより、この商用電源等の電力が電源プラグ及び電源コードを介して電動送風機５に供給されるということになるが、ここでは、掃除機本体１の備える電源プラグ及び電源コードを電力供給源６と称している。
【００１４】
なお、この掃除機本体１が備える電力供給源６は、ここでは、コンセントに接続される電源プラグ等であるが、例えば、充電池や乾電池等の他の電圧発生手段を電力供給源６として掃除機本体１に備えるようにしてもよい。
【００１５】
集塵室３と電動送風機５との間には、含塵空気内の塵埃を濾過するフィルター７が取り付けられている。また、掃除機本体１における、電動送風機５から見て反集塵室３側には、フィルター７により塵埃が取り除かれた空気を排出する排気口８が設けられている。
【００１６】
電動送風機５が動作すると、この電動送風機５が収容された掃除機本体１内の気圧が低下する。そして、この気圧の低下が集塵室３から第１の通気路４へと伝播していき最終的に第１の塵埃吸込口２へと至って、第１の塵埃吸込口２での空気の吸引力となる。第１の塵埃吸込口２から吸い込まれた含塵空気は、第１の通気路４を通り集塵室３へと至る。そして、この含塵空気中の塵埃はフィルター７により濾し取られて集塵室３内に捕集される。一方、塵埃が取り除かれた空気は、電動送風機５が収容された掃除機本体１内部を通り排気口８から排出される。
【００１７】
また、掃除機本体１には、掃除機本体１をハンディ形掃除機として使用する際に、使用者が掃除機本体１を所望の姿勢に保持するための第１の把持部９が設けられている。この第１の把持部９は、掃除機本体１の外側へと突出して設けられており、電動送風機５等の重量物が内蔵された掃除機本体１を把持、移動するのに耐え得る強度、形状を有している。
【００１８】
図２から図７は、上述した掃除機本体１を収容して縦型電気掃除機として使用可能な状態にある支持体１０を示すものである。支持体１０は、主に、掃除機本体１を収容する支持体本体１１、支持体本体１１の上端部に設けられた第２の把持部１２、及び、支持体本体１１の下端部に設けられた床ノズル１３から構成されている。第２の把持部１２は、支持体本体１１の上端部に伸縮自在に取り付けられた棒状のグリップであり、支持体本体１１に掃除機本体１を収容して縦型電気掃除として用いる際に使用する。
【００１９】
支持体本体１１には、背面側のほぼ半分と当該背面側のほぼ半分における上方側とが開放されて、掃除機本体１を着脱可能に収容する収容部１４が形成されている。そして、この収容部１４の下端部分には、掃除機本体１の前記一端部側、すなわち、第１の塵埃吸込口２が設けられた側（以下、「載置面側」という）が載置される載置受け部１５が形成されている。この載置受け部１５は、掃除機本体１の載置面側の形状に合わせて側断面略円周状の凹形状面が形成されており、この凹形状面により掃除機本体１の載置面側を支持できるようになっている。
【００２０】
支持体本体１１の下端部には、平面視略Ｔ字状の床ノズル１３が自在継ぎ手１６を介し回動自在に接続されている。床ノズル１３の本体は箱状のブラシケース１７からなり、このブラシケース１７の下面前方寄りの位置には、含塵空気を吸い込む横長の第２の塵埃吸込口１８が左右方向に長く開口して設けられている。ブラシケース１７内には、第２の塵埃吸込口１８を臨むようにして、電動回転ブラシ１９が回転可能に軸支された状態で配設されている。この電動回転ブラシ１９の回転軸は、第２の塵埃吸込口１８の左右長手方向に沿って配置されており、左右両端において回転可能に支持されている。
【００２１】
床ノズル１３内（ブラシケース１７内）の電動回転ブラシ１９近傍には、この電動回転ブラシ１９の回転を駆動するブラシ駆動用電動機２０が配設されている。そして、ブラシ駆動用電動機２０の駆動軸の回転は、例えば図示しないベルト等により電動回転ブラシ１９の回転軸へと伝達されるように構成されている。
【００２２】
なお、ブラシケース１７の下面における第２の塵埃吸込口１８の前方側には一対の前車輪２１が取り付けられている。また、ブラシケース１７の後部側には一対の後車輪２２が左右両側に突出した状態で取り付けられている。そして、これらの前車輪２１及び後車輪２２によって、縦型電気掃除機として使用して床ノズル１３によって床面上の塵埃を吸い込む際において縦型電気掃除機を円滑に移動させることができる。
【００２３】
床ノズル１３の第２の塵埃吸込口１８は自在継ぎ手１６と連通している。そして、自在継ぎ手１６は、支持体本体１１に設けられた第２の通気路２３を介して、収容部１４の載置受け部１５側へと繋がっている。第２の通気路２３の載置受け部１５側の端部には、接続口２４が設けられている。この接続口２４は、掃除機本体１が支持体１０の収容部１４に収容された際に、掃除機本体１の第１の塵埃吸込口２が、この接続口２４に係合して接続されるように配置されている。
【００２４】
接続口２４の周囲の載置受け部１５には、第１の塵埃吸込口２と接続口２４との接続部の隙間から空気が漏れることを防止するためのシール部材２５が設けられている。従って、第１の塵埃吸込口２と接続口２４との接続部の隙間はシール部材２５によって塞がれるため、掃除機本体１を支持体１０に収容した際に、第２の通気路２３の接続口２４から第１の塵埃吸込口２へと至る吸気経路における通気の漏れが防止されるようになっている。
【００２５】
こうして、掃除機本体１が支持体１０に収容された状態では、床ノズル１３の第２の塵埃吸込口１８から、自在継ぎ手１６、第２の通気路２３、接続口２４を経て掃除機本体１の第１の塵埃吸込口２まで連通され、さらに、掃除機本体１の第１の塵埃吸込口２からは前述したように掃除機本体１の集塵室３まで連通されているため、床ノズル１３の第２の塵埃吸込口１８から掃除機本体１の集塵室３までが一続きに連通されることとなる。
【００２６】
なお、掃除機本体１が支持体本体１１の収容部１４内の適切な位置に収容された状態で保持されるように、掃除機本体１の上端側及び支持体本体１１の上部側には、これらの間の連結を保持する連結保持手段２６が設けられている（図７）。また、掃除機本体１の第１の把持部９の近傍の操作しやすい位置（ここでは、支持体１０に収容された状態の掃除機本体１の上面）には、電力供給源６から電動送風機５への電力供給のオン／オフを操作する操作スイッチ２７が設けられている。
【００２７】
次に、以上のように構成された縦型電気掃除機における、支持体１０の床ノズル１３に設けられた電動回転ブラシ１９の回転を駆動するブラシ駆動用電動機２０への電力供給について説明する。すなわち、この縦型電気掃除機には、掃除機本体１が支持体１０に収容された状態において、掃除機本体１の備える電力供給源６の電圧（電力）を、掃除機本体１側から支持体１０側へと伝導するための電圧伝導手段が備えられている。そして、この電圧伝導手段により伝導された電圧を、支持体１０の床ノズル１３が備えるブラシ駆動用電動機２０に加えることによって、ブラシ駆動用電動機２０を駆動する。
【００２８】
この電圧伝導手段は、大きく分けて掃除機本体１に設けられた掃除機本体側電圧伝導手段と、支持体本体１１に設けられた支持体側電圧伝導手段とから構成されている。そして、掃除機本体１が支持体本体１１の収容部１４に収容されると、これらの掃除機本体側電圧伝導手段と支持体側電圧伝導手段とが互いに係合して、電力供給源６の電圧を掃除機本体１側から支持体１０側へと伝導するができるようになる。
【００２９】
まず、掃除機本体側電圧伝導手段について説明する。図８に示すように、掃除機本体側電圧伝導手段は、掃除機本体１の、掃除機本体１が支持体１０に収容された際に支持体本体１１に対向する側の面に設けられている。さらに詳しくは、ここでは、掃除機本体側電圧伝導手段は、当該面の連結保持手段２６近傍に配置されている。この掃除機本体側電圧伝導手段の配置部を拡大したものを図９に示す。
【００３０】
掃除機本体側電圧伝導手段は、給電端子２８及びオンオフスイッチ２９を有している。給電端子２８は、掃除機本体１の備える電力供給源６と電気的に接続された２極を有する金属性の端子である。この給電端子２８は、掃除機本体側電圧伝導手段が配置された面において、露出して設けられている。この際、この露出した給電端子２８に容易に人が触れることがないように、この給電端子２８の周囲には、人の指の通常の幅より狭い間隔のリブが設けられている。換言すると、給電端子２８は、人の指の通常の幅より狭い凹所内に設けられる。
【００３１】
また、掃除機本体側電圧伝導手段には、この給電端子２８と隣接してオンオフスイッチ２９が設けられている。このオンオフスイッチ２９は、掃除機本体１の電力供給源６から給電端子２８への給電状態をオン／オフするものである。すなわち、オンオフスイッチ２９がオンである場合には、電力供給源６から給電端子２８へと給電され電力供給源６の電圧が給電端子２８の２極の端子間に加えられるようになる。一方、オンオフスイッチ２９がオフである場合には、電力供給源６から給電端子２８へと給電されず給電端子２８の２極の端子間には電力供給源６の電圧は加わらない。
【００３２】
ここでは、このオンオフスイッチ２９としてマイクロスイッチ２９ａを用いている。このマイクロスイッチ２９ａは通常時においてオフとなっており、押下（押圧）されることでオンとなる。
【００３３】
一方、図１０に示すように、支持体側電圧伝導手段は、支持体本体１１の、掃除機本体１が支持体１０に収容された際に掃除機本体１に対向する側の面に設けられている。さらに詳しくは、ここでは、支持体側電圧伝導手段は、当該面の連結保持手段２６近傍に配置されている。この支持体側電圧伝導手段の配置部を拡大したものを図１１に示す。
【００３４】
支持体側電圧伝導手段は、受電端子３０及びスイッチ作動手段３１を有している。受電端子３０は、支持体１０の床ノズル１３が備えるブラシ駆動用電動機２０と電気的に接続された２極を有する金属性の端子である。この受電端子３０は、支持体側電圧伝導手段が配置された面において、露出して設けられている。この際、掃除機本体側電圧伝導手段の給電端子２８が凹所内に配置されていることに対応して、この受電端子３０は、給電端子２８とは逆に突出して設けられている。
【００３５】
また、支持体側電圧伝導手段には、この受電端子３０と隣接してスイッチ作動手段３１が設けられている。このスイッチ作動手段３１は、掃除機本体１が支持体１０の収容部１４に収容されているか否かに応じて、掃除機本体側電圧伝導手段のオンオフスイッチ２９を作動させてオンオフスイッチ２９のオン／オフを切り替えるものである。
【００３６】
このスイッチ作動手段３１によるオンオフスイッチ２９の作動について、図１２及び図１３を参照しながら、さらに詳しく説明する。ここでは、オンオフスイッチ２９としてマイクロスイッチ２９ａが用いられていることに対応して、スイッチ作動手段３１としてマイクロスイッチ２９ａを押下するためのリブ３１ａ（突起体）が突設されている。
【００３７】
そして、掃除機本体１が支持体１０の収容部１４に収容されると掃除機本体側電圧伝導手段と支持体側電圧伝導手段とが係合する。この掃除機本体側電圧伝導手段と支持体側電圧伝導手段とが係合した状態においては、特に図１３に示すように、リブ３１ａがマイクロスイッチ２９ａを押下してマイクロスイッチ２９ａがオンとなり、電力供給源６から給電端子２８への給電が開始され電力供給源６の電圧を給電端子２８の２極の端子間に加えられるようになる。また、同時に、給電端子２８と受電端子３０とが接触して、掃除機本体１側の回路と支持体１０側の回路とが電気的に接続される。
【００３８】
この掃除機本体１が支持体１０に収容される前後における掃除機本体１側の回路と支持体１０側の回路の状態について、図１４及び図１５を参照しながら、さらに詳しく説明する。まず、掃除機本体１側の回路を図１４に示す。掃除機本体１においては、電力供給源６に対して電動送風機５及び給電端子２８が並列に接続されている。そして、電力供給源６から電動送風機５への給電経路と電力供給源６から給電端子２８への給電経路との共通する箇所に操作スイッチ２７が介装されている。また、電力供給源６から給電端子２８への給電経路上にのみ、オンオフスイッチ２９であるマイクロスイッチ２９ａが介装されている。
【００３９】
掃除機本体１が支持体１０に収容されていない状態においては、オンオフスイッチ２９（マイクロスイッチ２９ａ）はオフである。従って、この掃除機本体１が支持体１０に収容されていない状態では、操作スイッチ２７をオンにしても給電端子２８に電力供給源６の電圧が加わることがない。そして、電動送風機５にのみ電力供給源６から電力が供給されて電動送風機５が動作する。
【００４０】
これに対し、掃除機本体１を支持体１０に収容し、掃除機本体側電圧伝導手段と支持体側電圧伝導手段とが係合した状態を示すのが図１５である。掃除機本体側電圧伝導手段と支持体側電圧伝導手段とが係合した状態においては、前述したように、スイッチ作動手段３１（リブ３１ａ）によってオンオフスイッチ２９（マイクロスイッチ２９ａ）がオンにされるとともに、給電端子２８と受電端子３０とが接触して、掃除機本体１側の回路と支持体１０側の回路とが電気的に接続される。
【００４１】
そして、この状態で操作スイッチ２７をオンにすると、電力供給源６から電動送風機５に電力が供給されて電動送風機５が動作するとともに、掃除機本体側電圧伝導手段及び支持体側電圧伝導手段を介して、すなわち、オンオフスイッチ２９並びに給電端子２８及び受電端子３０を介して、電力供給源６から支持体１０のブラシ駆動用電動機２０へも同時に電力が供給されてブラシ駆動用電動機２０が動作する。
【００４２】
このように構成された縦型電気掃除機において、ハンディ型掃除機として使用する場合には、支持体１０から取り外した状態の掃除機本体１を単体で用いる。そして、操作スイッチ２７をオンにすると、掃除機本体１の電動送風機５が動作して、第１の塵埃吸込口２から塵埃を吸い込むことができ、机等の天板上等の比較的高い位置にある被清掃面も楽に掃除することが可能である。
【００４３】
そして、この際には、オンオフスイッチ２９（マイクロスイッチ２９ａ）はオフとなっているため、露出する給電端子２８には電圧がかかっていない状態となる。従って、給電端子２８は前述のごとく凹所内に配置されており人が触れにくいものではあるが、掃除機本体１の単体での使用時に給電端子２８に電圧がかからないようにすることによって、さらに万全を期すことができる。
【００４４】
また、掃除機本体１を支持体１０の収容部１４に収容することにより、掃除機本体１と支持体１０とを組み合わせて縦型電気掃除機として使用することができる。掃除機本体１を支持体１０の収容部１４に収容すると、掃除機本体１側と支持体１０側の電圧伝導手段同士が係合することにより、スイッチ作動手段３１（リブ３１ａ）の作用でオンオフスイッチ２９（マイクロスイッチ２９ａ）がオンとなると同時に給電端子２８と受電端子３０とが接触して掃除機本体１側の回路と支持体１０側の回路とが電気的に接続される。
【００４５】
この状態で、操作スイッチ２７をオンにすると、電力供給源６から電力供給源６へと電力が供給されると同時に、さらにハンディ型掃除機本体１を前記支持体１０側の収納部２に収納し、縦型掃除機として使用の場合は、オンオフスイッチ２９が前記構造物３１の接触によってオンオフスイッチ２９が接続状態となり、電力供給源６から給電端子２８に電圧が加わり、この給電端子２８に接触している受電端子３０を経由してブラシ駆動用電動機２０に電圧が加わって、ブラシ駆動用電動機２０は電力供給源６から電力が供給される。
【００４６】
従って、使用者は掃除機本体１にある１つの操作スイッチ２７をオンにすることにより、電動送風機５とブラシ駆動用電動機２０の双方を同時に動作させることができ、電動回転ブラシ１９を自動回転させながら、掃除機本体１で吸引することが可能であり、机等の下の床面等の低い位置にある被清掃面の塵埃を掻き上げながら掃除を行うことができる。
【００４７】
なお、掃除機本体１を支持体１０の収容部１４する際には、図１６に示すように、まず、掃除機本体１の第１の塵埃吸込口２を、支持体本体１１の載置受け部１５に設けられた接続口２４にあてがった上で、第１の塵埃吸込口２と接続口２４との接触部分を支点とするてこの要領で、掃除機本体１の反第１の塵埃吸込口２側に設けられた第１の把持部９を支持体本体１１側へと押しながら連結保持手段２６を係合させて掃除機本体１を収容する。
【００４８】
ここで、電圧伝導手段は、前述のように連結保持手段２６の近傍、すなわち、掃除機本体１の反第１の塵埃吸込口２側へと寄った位置に配置されている。これは、掃除機本体１を支持体１０に収容する際に当該収容動作の支点となる第１の塵埃吸込口２からなるべく離れた位置に電圧伝導手段を配置するようにするためである。当該収容動作の支点となる第１の塵埃吸込口２からなるべく離れた位置に電圧伝導手段を配置することで、当該収容動作における電圧伝導手段のストローク（移動量）を大きくすることできる。
【００４９】
そして、当該収容動作における電圧伝導手段のストロークを大きくすることで、掃除機本体１が支持体１０の収容部１４に完全に収容された時点でオンオフスイッチ２９がオンとなるようにしやすくなり、逆に言えば、掃除機本体１の収容部１４への収容が不完全な状態でオンオフスイッチ２９がオンとなってしまうことを防止することができる。
【００５０】
従って、掃除機本体１が収容部１４に完全に収容されておらず、給電端子２８と受電端子３０とが未だ接触していない、あるいは、これらの端子間において接触不良が生じているおそれがある状態でオンオフスイッチ２９がオンとなってしまうことを未然に防ぐことが可能となる。
【００５１】
以上のように構成された縦型電気掃除機は、集塵室と集塵室と連通された第１の塵埃吸込口と第１の塵埃吸込口から集塵室への気流を発生させる電動送風機とを有する掃除機本体と、掃除機本体を着脱可能に収容する収容部と第２の塵埃吸込口が設けられた床ノズルと床ノズル内の第２の塵埃吸込口に設けられた電動回転ブラシと電動回転ブラシの回転を駆動するブラシ駆動用電動機とを有し掃除機本体が収容部に収容された状態で第２の塵埃吸込口と集塵室とが第１の塵埃吸込口を経由して連通されるように構成された支持体と、掃除機本体に設けられ、電動送風機に電力を供給する電力供給手段と、電力供給手段により発生した電圧を掃除機本体側から支持体側へと伝導する電圧伝導手段と、を備え、ブラシ駆動用電動機は、電圧伝導手段を介して伝導された電圧によって駆動されるものである。
【００５２】
このため、掃除機本体を支持体に収容することにより電動回転ブラシ付き床ノズルを有する縦型電気掃除機として使用可能であるとともに、掃除機本体を分離することによりハンディ型掃除機としても使用可能であって、かつ、電力供給源は掃除機本体にのみ備えるようにすればよいため、構成が簡潔で使い勝手が良好であり利便性を向上することができる。
【００５３】
実施の形態２．
図１７及び図１８は、この発明の実施の形態２に係るもので、図１７は掃除機本体の電圧伝導手段配置部の拡大斜視図、図１８は支持体の電圧伝導手段配置部の拡大斜視図である。これらの図１７及び図１８は、それぞれ、実施の形態１の図９及び図１１に相当するものである。
【００５４】
ここで説明する実施の形態２は、前述した実施の形態１の構成において、掃除機本体側電圧伝導手段のオンオフスイッチとしてリードスイッチを用いるとともに、これに対応して、支持体側電圧伝導手段のスイッチ作動手段としてマグネットを用いるようにしたものである。
【００５５】
すなわち、図１７に示される掃除機本体側電圧伝導手段において、給電端子２８と隣接してオンオフスイッチ２９であるところのリードスイッチ２９ｂが設けられている。このリードスイッチ２９ｂは、外部から磁界が与えられるとオンとなり、外部磁界が除かれるとオフとなるスイッチである。
【００５６】
また、これに対応して、図１８で示される支持体側電圧伝導手段において、受電端子３０と隣接してスイッチ作動手段３１であるところのマグネット３１ｂが設けられている。このマグネット３１ｂは、リードスイッチ２９ｂを作動させてオン／オフを切り替えるための外部磁界を生成するためのものである。
【００５７】
掃除機本体１が支持体１０の収容部１４に収容されて掃除機本体側電圧伝導手段と支持体側電圧伝導手段とが係合すると、リードスイッチ２９ｂがマグネット３１ｂにより作られた磁界内へと入り、リードスイッチ２９ｂがオンとなる。また、逆に、掃除機本体１が支持体１０から取り外されて掃除機本体側電圧伝導手段と支持体側電圧伝導手段との係合が解除されると、リードスイッチ２９ｂはマグネット３１ｂの磁界から外へと出て、リードスイッチ２９ｂがオフとなる。
なお、他の構成や動作は実施の形態１と同様であり、その詳細説明は省略する。
【００５８】
以上のように構成された縦型電気掃除機は、掃除機本体側電圧伝導手段のオンオフスイッチとしてリードスイッチを用いるとともに、これに対応して、支持体側電圧伝導手段のスイッチ作動手段としてマグネットを用いるようにしたものであり、実施の形態１と同様の効果を奏することができる。
【符号の説明】
【００５９】
１    掃除機本体
２    第１の塵埃吸込口
３    集塵室
４    第１の通気路
５    電動送風機
６    電力供給源
７    フィルター
８    排気口
９    第１の把持部
１０    支持体
１１    支持体本体
１２    第２の把持部
１３    床ノズル
１４    収容部
１５    載置受け部
１６    自在継ぎ手
１７    ブラシケース
１８    第２の塵埃吸込口
１９    電動回転ブラシ
２０    ブラシ駆動用電動機
２１    前車輪
２２    後車輪
２３    第２の通気路
２４    接続口
２５    シール部材
２６    連結保持手段
２７    操作スイッチ
２８    給電端子
２９    オンオフスイッチ
２９ａ  マイクロスイッチ
２９ｂ  リードスイッチ
３０    受電端子
３１    スイッチ作動手段
３１ａ  リブ
３１ｂ  マグネット
【図１】
2012228360.tif 000003
【図２】
2012228360.tif 000004
【図３】
2012228360.tif 000005
【図４】
2012228360.tif 000006
【図５】
2012228360.tif 000007
【図６】
2012228360.tif 000008
【図７】
2012228360.tif 000009
【図８】
2012228360.tif 000010
【図９】
2012228360.tif 000011
【図１０】
2012228360.tif 000012
【図１１】
2012228360.tif 000013
【図１２】
2012228360.tif 000014
【図１３】
2012228360.tif 000015
【図１４】
2012228360.tif 000016
【図１５】
2012228360.tif 000017
【図１６】
2012228360.tif 000018
【図１７】
2012228360.tif 000019
【図１８】
2012228360.tif 000020